(57)【要約】      （修正有）【課題】本発明は生地に取り外しの利く下着を付けることで、自分で簡単に素早く服を着る、洗濯が出来る方法を提供する。【解決手段】ファスナー付きの下着とファスナー付きの生地の袖口裏面に粘着物を付けて、下着、生地、帯の順に服を着る。【選択図】    図１
2004169251.tif 000002
【特許請求の範囲】
【請求項１】
下着に生地を被せた下着付き着物。
【発明の詳細な説明】
【０００１】
【産業上の利用分野】
この発明は、ファスナーや粘着物などを利用して下着に生地を被せて止めた下着付き着物に関するものである。
【０００２】
【従来の技術】
従来より日本の着物は自分で着るのが難しく、着付けを人に頼むことが何度もあった。自分で着る事が出来ても時間が掛かり、その複雑な構造から着心地が悪いと思う人もいた。また、洗濯も自分で出来ないことが多かった。
【０００３】
【発明が解決しようとする課題】
従来の複雑な構造に長襦袢、帯、帯締め、帯揚、半衿、重衿、比翼、衿芯、腰紐等があり、これを着る為に時間がかかった。本発明は、これらの欠点を解決する為に自分で簡単に着れ、自分で楽に洗濯出来るように発明されたものである。
【０００４】
【課題を解決する為の手段】
図１  下着の袖口裏面に粘着物（３）を付け、図２  下着の後ろにファスナー（４）を付ける。図３  生地の袖口裏面には粘着物（７）付け、図４  生地の後ろにファスナー（８）を付ける。下着に生地を被せて生地の袖口を内側に折り、袖口の裏面粘着物（７）を下着の袖口の裏面粘着物（３）に重ねてとめる。最後に生地の中央表面に図５  帯を重ねてとめる。
本発明は、以上の構成からなる下着付き着物である。
【０００５】
【作用】
最初に、下着の後ろのファスナー（４）の開閉で、下着を着る。
次に、生地の後ろのファスナー（８）の開閉で、生地を下着の上に生地を着る。
そして、生地の袖口を内側に折り、下着の袖口の裏面粘着物（３）と生地の袖口の裏面粘着物（７）を重ねてとめる。最後に図６  帯に似て非なる物を体の胴辺りでとめる。
【０００６】
【実施例】
以下、本発明の実施例について説明する。
（イ）  下着の構造
下着は、汗を吸収する柔らかい材質である。
2004169251.tif 000003
下着の形状、構造は様様あるが、ファスナー（４）などで開閉して着る事が出来る。
下着は、袖口裏面に粘着物（３）などを付けて、生地の袖口は取り外して洗濯が出来る。
（ロ）  生地の構造
使用できる生地全てを生地とする。
2004169251.tif 000004
生地の形状、構造は様様あるが、ファスナー（８）などで開閉して着る事が出来る。
生地は、袖口裏面に粘着物（７）などを付けて、下着の上から重ねて被せて着用する。
（ハ）  帯とは、帯に似て非なる物である。
帯は、生地の付属品であり、生地に似合う形状である。
帯は、材質や生地などを生地に似合うよう考慮して、簡単に生地の中央表面に重ねてとめる構造、構成で、取り外しが出来る。
（ニ）下着付き着物は、特許出願人の旧姓である佐藤を用いて、英語の筆記体で佐藤晴美の名前を服の見える一部分に刺繍し示した物であり、特許出願人の権利を持つ。
本発明は以上のような構造で、これを使用するときは、
（イ）最初に下着を着る。
2004169251.tif 000005
下着は、後のファスナー（４）の開閉などで着る事が出来る。
2004169251.tif 000006
通して袖口の方向に手を出して着る。
下着の洗濯方法は、様様ある。洗濯用の自動機械を利用し、楽に洗濯することが出来る。
（ロ）生地は、下着の上に着用する。
2004169251.tif 000007
生地は、後のファスナー（８）の開閉などで着ることが出来る。
2004169251.tif 000008
して袖口の方向に手を出して着る。
下着の上に生地を被せて着た後、生地の袖口を内側に折り、袖口の裏面粘着物（７）と下着の袖口の裏面粘着物（３）を重ねてとめる。
（ハ）最後に図６  帯を体の胴辺りでとめる。
着用方法は様様あり、粘着物などを図５  帯の表面一部分（１０）と裏面一部分（１１）に付けて上下に重ねてとめ、図６  帯を巻いて付けることが出来る。
帯は簡単に取り外すことも出来る。
【第２実施例】
（イ）第１図、第２図に示すように
下着の柔らかな材質は様様あり、合成樹脂や化学繊維などを利用して、季節や使用場所により厚さ、分量、軽さを変える事が出来る。
2004169251.tif 000009
所により様様に変える事が出来る。
下着は、形状や構造により、ダーツや伸縮性のあるゴム状の物を利用したり、ギャザーなどを用いて、体が窮屈にならないような工夫ができる。
下着の下半身付近の形状は、２枚の布地を重ねて用いるなど工夫し、股を動きやすくすることが出来る。
下着は、衿（１６）のように、衿部分に生地を被せて縫い込んだり、衿部分に別の生地を縫い付けることが出来る。
下着は、胸元や裾にレースなどを付け、美しく見せることが出来る。
（ロ）第３図、第４図が示すように、
生地は、季節や使用場所により材質、色、模様、形などを様様に変える事が出来る。
2004169251.tif 000010
などを考慮して様様に変える事が出来る。
生地は、形状や構成により、ダーツや伸縮性のある物を利用したり、縫い取りやギャザー、フリル、レース、ビーズ、毛皮、羽毛などを用いて美しく見せる工夫が出来る。
生地の下半身の形状は、２枚の生地を重ねて用いる（１３）など工夫し、股を動きやすくすることが出来る。
生地は、衿（１５）を縫い付けたり、別の生地で重ねるように縫い付けて、様様な色、模様、形の衿にすることが出来る。
生地は、染み、汚れから守る為、防水加工することが出来る。
（ハ）５図、第６図に示すように、
帯は、生地に似合うような色、模様、形状で、季節や使用場所を考慮し、様様な構造、構成で帯に似て非なる物である。
帯は、表面粘着物（１０）と裏面粘着物（１１）により、生地の上から簡単に付けたり取り外すことが出来る。
帯の構造、構成の一例として、
下着のような材質を利用して、帯に厚さ、軽さを持たせ、蝶のように見える形状（１４）に工夫するなど下地を準備し、別の生地で被う。
帯は、生地の付属品である為、帯揚や帯締めに似て非なるもの物（１２）を、帯の表面に直接縫い付けることが出来る。
帯に似て非なるものは、ビーズ、宝石類、毛皮、羽毛、などを付けたり、縫い取りをして美しく見せることが出来る。
（ニ）  第９図にしめすように、
舞台用の衣装、海外向けなど考慮し、着物に似て非なる服の形状、構成、構造は様様あり、胸元にレース（２０）を付け、服の裾を長くし（１８）、袖にフリル（１７）などを付け、足元が見えないように、ギャザー（１９）やフリルなど別の生地を付けることが出来る。
本発明の応用例は以上のような構造で、これを使用する時は、
（イ）下着の着用方法は様様あるが、ファスナーなどの開閉による着用方法と、下着の裾の下から頭を入れて着る方法などがある。
下着の洗濯は、下着を網状の袋に入れて洗濯するなど、傷みを防ぐ方法がある。
（ロ）生地の着用方法は様様あるが、ファスナーなどの開閉による着用方法と、
2004169251.tif 000011
生地の汚れは、染み抜き用の洗剤を使用し、簡単に染み抜きが出来る。
（ハ）図５  帯に似て非なる物の着用方法は、表面粘着物（１０）と裏面粘着物（１１）を上下に重ねてとめる方法と、胴に巻いて結ぶ方法がある。
【０００７】
【発明の効果】
下着と一揃いである、本発明の服は、自分で簡単に素早く着る事が出来、
しかも、汗で汚れた下着は、直ぐに服から取り外して洗濯が出来る。
服も防水加工や染み抜き用の洗剤で手入れが楽に出来る。
帯に似て非なる物も、自分で素早く簡単に付け、取り外しが楽に出来る。
フリル、ギャザー、レース、ビーズ、羽毛、毛皮などの使用で、服の形状が様様に変わり、ネックレス、指輪、イヤリングなど洋風の雰囲気を楽しむことが出来る。
大きさは、洋服のように、小型、中型、大型、特大と大量生産が出来る。
着せ替え人形などでも販売することが出来、多くの子供に喜ばれる商品である。
本発明は、誰でも簡単に素早く着る事が出来る服であるから、日本国内、海外問わず、多くの人に喜ばれ、産業上、全ての商品に対して幅広く貢献できる。
本発明の使用により、特許出願人は旧姓である名前を用いて広く世間に認められる。
【図面の簡単な説明】
【図１】本発明の下着の正面図
【図２】本発明の下着の背面図
【図３】本発明の生地の正面図
【図４】本発明の生地の背面図
【図５】本発明に付ける帯に似て非なる物の図
【図６】本発明に付ける帯に似て非なる物の実施図
【図７】本発明に帯を付けた正面図
【図８】本発明に帯を付けた背面図
【図９】本発明の第１応用図
【図１０】本発明の第２応用図
【符号の説明】
2004169251.tif 000012
２．下着の袖
３．袖口の裏面粘着物
４．下着のファスナー
2004169251.tif 000013
６．生地の袖
７．袖口の裏面粘着物
８．生地のファスナー
９．帯に似て非なる物
１０．帯に似て非なる物の表面粘着物
１１．帯に似て非なる物の裏面粘着物
１２．帯に似て非なる物の付属品
１３．生地２枚重ね
１４．蝶の形状物
１５．生地の衿
１６．下着の衿
１７．フリル
１８．後に長い裾生地
１９．ギャザー
２０．レース
【図１】
2004169251.tif 000014
【図２】
2004169251.tif 000015
【図３】
2004169251.tif 000016
【図４】
2004169251.tif 000017
【図５】
2004169251.tif 000018
【図６】
2004169251.tif 000019
【図７】
2004169251.tif 000020
【図８】
2004169251.tif 000021
【図９】
2004169251.tif 000022
【手続補正書】
【提出日】平成15年4月11日(2003.4.11)
【手続補正１】
【補正対象書類名】明細書
【補正対象項目名】図１０
【補正方法】削除
【補正の内容】